(57)【特許請求の範囲】
【請求項１】
カートリッジを受容するための柄部を有する湿式ひげ剃りカミソリと、
前記カミソリを取外し可能に保持する係合構造を含むベース部材と、
を備えた組合せ体であって、
前記ベース部材は、プラットホーム支持構造を含み、
プラットホーム部材が、前記プラットホーム支持構造で支持され、前記ベース部材に固定され、前記係合構造によって前記カミソリが保持される時に前記カミソリの少なくとも一部の裏面側に位置され、
前記プラットホーム支持構造は、前記プラットホーム部材の長手方向の一端側において前記プラットホーム部材を支持しており、
前記ベース部材に形成された縁部支持面が、前記プラットホーム部材の長手方向の他端側において前記プラットホーム部材の縁部を支持しており、
前記プラットホーム部材は、前記係合構造の前方及び後方に位置しており、
前記プラットホーム部材は、前記カミソリが前記係合構造によって保持される時に前記柄部の大部分の下にある第１部分を有している
ことを特徴とする組合せ体。
【請求項２】
前記ひげ剃りカミソリは、前記柄部上にカートリッジを有し、
前記プラットホーム部材は、前記カミソリが前記係合構造によって保持される時に前記カートリッジの裏面側に少なくとも部分的に位置される第２部分を有している
ことを特徴とする請求項１に記載の組合せ体。
【請求項３】
前記ベース部材は、前記第２部分の下方の領域に、それを貫く開口を有しており、
前記プラットホーム部材の前記第２部分は、前記カミソリが前記係合構造によって保持される時に前記カートリッジと対向する面と反対の面から透明であって、前記プラットフォーム部材と対向する前記カートリッジの側を見ることが可能になっている
ことを特徴とする請求項２に記載の組合せ体。
【請求項４】
前記カミソリ柄部は、ある長さと前記長さに沿う柄部外形とを有しており、
前記プラットホーム部材は、前記柄部外形と適合するプラットホーム外形を有している
ことを特徴とする請求項１乃至３のいずれかに記載の組合せ体。
【請求項５】
前記プラットホーム部材は、それを通って前記係合構造が突出する開口を有しており、
前記係合構造は、前記プラットホーム部材に横方向に当接する小突部構造を含んでいる
ことを特徴とする請求項２に記載の組合せ体。
【請求項６】
前記プラットホーム部材は、下方に凹んだ第２部分を有しており、
前記第２部分は、前記カミソリが前記係合構造によって保持される時に、前記カートリッジ、または、前記カートリッジの近傍の前記カミソリ柄部の端部、に占められる領域の近傍にあって、
前記カミソリからしたたり落ちる水は、前記カミソリから下方にしたたり落ちる
ことを特徴とする請求項１乃至５のいずれかに記載の組合せ体。
【請求項７】
下方に凹んだ前記第２部分は、排水口に向かっている
ことを特徴とする請求項６に記載の組合せ体。
【請求項８】
前記ベース部材は、前記プラットホーム部材の対のタブ部を受容するように配置された開口を有している
ことを特徴とする請求項１乃至７のいずれかに記載の組合せ体。
【請求項９】
前記ベース部材は、その下側に、キャビティを規定しており、交換可能な前記カートリッジのディスペンサを保持するための保持構造を更に有しており、
ディスペンサは、前記保持構造によって前記キャビティ内に保持される
ことを特徴とする請求項１乃至８のいずれかに記載の組合せ体。
【請求項１０】
カートリッジと柄部とを有するタイプの湿式ひげ剃りカミソリのためのトレイであって、
プラットホーム支持構造を含むベース部材と、
前記プラットホーム支持構造に支持されたプラットホーム部材と、
前記カミソリを取外し可能に保持するために前記ベース部材に搭載された係合構造と、
を備え、
前記プラットホーム部材は、前記係合構造の前方及び後方に位置しており、前記係合構造によって保持される時に前記カミソリによって占められる領域の少なくとも一部の裏面側に位置しており、
前記プラットホーム部材は、前記カミソリが前記係合構造によって保持される時に前記カミソリ柄部によって占められる床表面を提供するために、前記カミソリ柄部の一部の下にあるキャビティを有する第１部分を有しており、
前記ベース部材は、前記係合構造の前方に配置されたベース開口を有しており、
前記プラットホーム部材は、更に、前記係合構造の前方及び下方に、前記ベース開口に向かって下方に延びる第２部分を有しており、
前記ベース開口は、前記カミソリからしたたり落ちる水を排出できるようになっている
ことを特徴とする湿式ひげ剃りカミソリのためのトレイ。
【請求項１１】
前記第１部分の前記キャビティは、前記係合構造から後方に縦に延びる
ことを特徴とする請求項１０に記載のトレイ。
【請求項１２】
前記係合構造は、前記カミソリが前記係合構造によって保持される時に前記カートリッジの後方の前記カミソリの領域で前記カミソリ柄部を取外し可能に保持するようになっている
ことを特徴とする請求項１０または１１に記載のトレイ。
【請求項１３】
前記係合構造は、前記ベース部材の一端に位置する第２係合構造を有しており、
前記第２係合構造は、前記カミソリが前記係合構造によって保持される時に前記カミソリ柄部の一端を受容するようになっている開口を有している
ことを特徴とする請求項１０乃至１２のいずれかに記載のトレイ。
【請求項１４】
前記係合構造は、前記係合カミソリを取外す前に、前記トレイから上方に前記係合カミソリを移動することから、手動の力に最初抵抗するようになっている
ことを特徴とする請求項１０乃至１３のいずれかに記載のトレイ。
【請求項１５】
前記係合構造は、前記カミソリが前記係合構造によって保持される時に前記カミソリ柄部を弾性的に取外し可能に係合するようになっている弾性指部構造を有している
ことを特徴とする請求項１０乃至１４のいずれかに記載のトレイ。
【請求項１６】
前記プラットフォーム部材は、視覚的に前記ベース部材とは異なる外観を有している
ことを特徴とする請求項１０乃至１５のいずれかに記載のトレイ。
【請求項１７】
前記カミソリ柄部の下にある前記第１部分は、不透明で金属色である
ことを特徴とする請求項１０乃至１６のいずれかに記載のトレイ。
【請求項１８】
前記第１部分は、不透明である
ことを特徴とする請求項１０乃至１６のいずれかに記載のトレイ。
【請求項１９】
前記第２部分は、透明である
ことを特徴とする請求項１０乃至１８のいずれかに記載のトレイ。
【請求項２０】
前記ベース部材は、前記プラットホーム部材の対のタブ部を受容するように配置された開口を有している
ことを特徴とする請求項１０乃至１９のいずれかに記載のトレイ。
【請求項２１】
前記プラットホーム部材は、接続構造によって、前記プラットホーム部材の対向する長手方向端に隣接する領域で、前記ベース部材に固定されていることを特徴とする
請求項１０乃至２０のいずれかに記載のトレイ。
【請求項２２】
前記プラットホーム部材は、前記係合構造の後方に、前記係合構造の前方におけるよりも長く、延びている
ことを特徴とする請求項１０乃至２１のいずれかに記載のトレイ。
【請求項２３】
前記ベース部材は、主たる長手方向軸に沿って、前記プラットホーム部材よりも長い
ことを特徴とする請求項１０乃至２２のいずれかに記載のトレイ。
【請求項２４】
前記係合構造は、前記柄部に適用される手動の力が前記係合構造からの最初の抵抗に打ち勝った後で、前記柄部を前記プラットホーム部材から上方向に持ち上げることによる前記柄部の取外しを許容する
ことを特徴とする請求項１０乃至２３のいずれかに記載のトレイ。
【請求項２５】
前記ベース部材と前記プラットホーム部材とは、独立の部材であることを特徴とする
請求項１０乃至２４のいずれかに記載のトレイ。
【請求項２６】
カートリッジと柄部とを有するタイプの湿式ひげ剃りカミソリのためのトレイであって、
前記カミソリを取外し可能に保持するための係合構造を含むベース部材を備え、前記ベース部材は、プラットホーム支持構造を含み、
プラットホーム部材が、前記プラットホーム支持構造で支持され、
前記プラットホーム部材は、前記係合構造の前方及び後方に位置しており、前記ベース部材に固定され、前記係合構造によって保持される時に前記カミソリによって占められる領域の少なくとも一部の下方側に位置して、前記カートリッジ及び前記柄部の両方の少なくとも一部の下にあり、
前記カミソリが前記係合構造によって保持される時に前記カートリッジの一部の下になる前記プラットホーム部材の一部は、前記カミソリが前記トレイ上に保持される時に前記カートリッジと対向する面とは反対の面から見て透明であって、前記ブラットホーム部材と対向する前記カートリッジの側を見ることが可能になっているカートリッジ可視部分である
ことを特徴とする湿式ひげ剃りカミソリのためのトレイ。
【請求項２７】
前記ベース部材は、前記カートリッジ可視部分の下方の領域に、それを貫く開口を有している
ことを特徴とする請求項２６に記載のトレイ。
【請求項２８】
前記プラットホーム部材は、前記カミソリが前記係合構造によって保持される時に前記柄部によって占められる領域の裏面側に位置される柄部部分を有している
ことを特徴とする請求項２６または２７に記載のトレイ。
【請求項２９】
前記プラットホーム部材は、前記柄部部分にわたって反射性であり、前記柄部の下面部が前記柄部部分によって反射される
ことを特徴とする請求項２８に記載のトレイ。
【請求項３０】
前記柄部部分は、前記柄部部分による前記柄部の反射の範囲を増大するために凹曲面状である
ことを特徴とする請求項２９に記載のトレイ。
【請求項３１】
前記プラットホーム部材は、スナップ結合の係合によって前記ベース部材に固定されている
ことを特徴とする請求項２６乃至３０のいずれかに記載のトレイ。
【請求項３２】
前記ベース部材は、前記プラットホーム部材、及び、前記係合構造によって前記カミソリが保持される時に前記カートリッジによって占められる領域の裏面側に位置する透明な前記プラットホーム第２部分、のタブを受容するための凹部を有している
ことを特徴とする請求項３１に記載のトレイ。
【請求項３３】
前記支持構造は、前記プラットホーム部材の端縁部を支持する前記開口に沿うリップ部を有している
ことを特徴とする請求項２７乃至３１のいずれかに記載のトレイ。
【請求項３４】
前記プラットホーム部材は、前記ベース部材の重なり部の下方に保持される第１及び第２端部を有しており、前記第１及び第２端部の間で前記プラットホーム部材の下方の前記ベース部材の一部によって支持されている
ことを特徴とする請求項２６乃至３３のいずれかに記載のトレイ。
【請求項３５】
前記カートリッジ可視部分は、前記カートリッジと対向する面の大部分から反射性であり、前記カートリッジと対向する面とは反対側の面の大部分から透明である
ことを特徴とする請求項２６乃至３４のいずれかに記載のトレイ。
【請求項３６】
前記カートリッジ可視部分は、前記カートリッジと対向する面の端縁部から反射性であり、前記カートリッジと対向する面とは反対側の面の中央部から透明である
ことを特徴とする請求項２６乃至３５のいずれかに記載のトレイ。
【請求項３７】
前記カートリッジ可視部分は、前記カートリッジ可視部分による前記カートリッジの反射の範囲を増大するために凹曲面状である
ことを特徴とする請求項３５または３６に記載のトレイ。
【請求項３８】
前記ベース部材と前記プラットホーム部材とは、独立の部材であることを特徴とする請求項２６乃至３７のいずれかに記載のトレイ。
【請求項３９】
前記柄部部分は、前記カミソリ柄部の大部分の下にある
ことを特徴とする請求項２８乃至３８のいずれかに記載のトレイ。
【請求項４０】
前記カートリッジ部分は、前記カートリッジの略全体の下にあることを特徴とする請求項３８または３９に記載のトレイ。
【請求項４１】
カートリッジと柄部とを有する湿式ひげ剃りカミソリのためのトレイであって、
前記カミソリを取外し可能に保持するための係合構造を含むベース部材を備え、前記ベース部材は、プラットホーム支持構造を含み、
プラットホーム部材が、前記プラットホーム支持構造で支持され、前記ベース部材に固定され、
前記プラットホーム部材は、前記係合構造の後方であって前記係合構造によって前記カミソリが保持される時に前記柄部によって占められる領域の裏面側に位置する第１部分と、前記係合構造の前方及び下方に位置する第２部分と、を有している
ことを特徴とする湿式ひげ剃りカミソリのためのトレイ。
【請求項４２】
前記プラットホーム部材は、それを通って前記係合構造が突出する開口を有している
ことを特徴とする請求項４１に記載のトレイ。
【請求項４３】
前記係合構造は、弾性指部を有している
ことを特徴とする請求項４１または４２に記載のトレイ。
【請求項４４】
前記プラットホーム部材は、スナップ結合の係合によって前記ベース部材に固定されている
ことを特徴とする請求項４１乃至４３のいずれかに記載のトレイ。
【請求項４５】
前記ベース部材は、前記プラットホーム部材のタブを受容するための凹部を有しており、
前記プラットホーム部材は、前記ベース部材の前記凹部に受容されるタブを有している
ことを特徴とする請求項４４に記載のトレイ。
【請求項４６】
前記プラットホーム部材は、前記係合構造によって前記カミソリが保持される時に前記柄部によって占められる領域の裏面側に位置する凹部分を有している
ことを特徴とする請求項４１乃至４５のいずれかに記載のトレイ。
【請求項４７】
前記ベース部材と前記プラットホーム部材とは、独立の部材であることを特徴とする請求項４１乃至４６のいずれかに記載のトレイ。
【請求項４８】
前記ベース部材と前記プラットホーム部材とは、異なる材料から製造される
ことを特徴とする請求項４７に記載のトレイ。
【請求項４９】
前記ベース部材と前記プラットホーム部材とは、異なる製造モードによって生産される
ことを特徴とする請求項４７または４８に記載のトレイ。
【請求項５０】
前記ベース部材は、前記カミソリが前記係合構造によって保持される時に前記カートリッジの近傍において少なくとも一つの開口を有している
ことを特徴とする請求項４１乃至４９のいずれかに記載のトレイ。
【請求項５１】
前記ベース部材は、フード部を有している
ことを特徴とする請求項４１乃至５０のいずれかに記載のトレイ。
【請求項５２】
前記ベース部材は、交換可能なカートリッジのディスペンサを保持するための構造を有している
ことを特徴とする請求項４１乃至５１のいずれかに記載のトレイ。
【請求項５３】
湿式ひげ剃りカミソリと、請求項４１乃至５２のいずれかに記載のトレイと、を備えたことを特徴とする組合せ体。
【請求項５４】
前記カミソリは、ある長さと前記長さに沿う柄部外形とを有する延長柄部を含み、
前記プラットホーム部材は、前記柄部外形と適合するプラットホーム外形を有している
ことを特徴とする請求項５３に記載の組合せ体。
【発明の詳細な説明】
本発明は、湿式ひげ剃りカミソリのためのトレイに関している。
使用の間に湿式ひげ剃りカミソリを支持するため、及び、購買時のパッケージにおいて所望の態様でそのカミソリを提供するためのトレイを提供することは知られている。そのようなトレイは、典型的には、交換可能なカートリッジが接続されるカミソリ柄部と係合するベース部材を有している。このベース部材は、しばしば、付加的に、カミソリからベース部材の反対側で、交換カートリッジのディスペンサを保持する。
一面において、本発明は、全体として、ベース部材とプラットホーム部材を含む、カミソリのためのトレイを特徴としている。ベース部材は、カミソリを取外し可能に保持するための係合構造と、プラットホーム支持構造とを含んでいる。プラットホーム部材は、プラットホーム支持構造で支持され、ベース部材に固定され、カミソリが係合構造によって保持される時に少なくともカミソリの一部の裏面側に位置される。
本発明のある実施の形態は、１以上の以下の特徴を有し得る。ある実施の形態では、プラットホーム部材が、カミソリの柄部またはカミソリのカートリッジまたはその両方の裏面側にある。ベース部材は、カートリッジの近くに、それを貫く開口を有しており、プラットホーム部材は、他側から透明であって、ベース部材の他側からカートリッジの底面側を見ることが可能になっている。プラットホーム部材は、柄部の底面側を反射するために、カミソリの柄部と一直線状に配置された部分にわたって、反射性である。カートリッジの近くのプラットホーム部材の一部は、頂部から反射性であり、表面の大部分にわたって底部から透明であり得る。あるいは、プラットホーム部材の一部の端縁部が、頂部から反射性であり、中央部が透明であり得る。
ある実施の形態では、プラットホーム部材は、プラットホームの上方に支持されるカミソリ柄部の全長に沿う外形と適合する外形を有し得る。プラットホーム部材は、スナップ結合の係合によってベース部材に固定される。ベース部材は、ベース部材を貫く開口に沿うリップ部を有しており、そのリップ部はプラットホーム部材の透明部分の端縁部を支持している。ベース部材は、プラットホーム部材のタブ部を受容する凹部を有している。プラットホーム部材の終端部は、ベース部材の重なり部の下方に保持されており、プラットホーム部材の中央部は、プラットホーム部材の下方のベース部材の一部によって支持されている。プラットホーム部材の中央部は、突出柱構造に、スナップ結合の係合によって固定されている。この突出柱構造は、その突出構造の前面の小突部と後方の突出構造の張出部とによって、プラットホームの開口を貫いて上方に延びている。プラットホーム部材は、カートリッジの下方に排水孔を有している。トレイは、交換可能カートリッジのディスペンサを保持するための構造を有している。
他の面においては、本発明は、全体として、カミソリとすでに説明されたトレイとの組合せを特徴としている。
他の面においては、本発明は、全体に、ベースを含む湿式ひげ剃りカミソリのためのトレイと、取外し可能にカミソリを保持するためにベース上に保持された係合構造と、ベースに保持され、係合構造によって保持された時にカミソリによって占められる領域の少なくとも一部の裏側に位置されて、反射面によるカミソリの反射の範囲を増大するために凹面状の反射面を有するプラットホームと、を特徴としている。
本発明の実施の形態は、１以上の以下の特徴を有し得る。ベース部材から独立で、かつ、それに固定されたプラットホーム部材を有することは、ベース部材とプラットホーム部材とのために、異なる材料、異なる外観、異なる製造態様を用いることができるという柔軟性を提供する。ベース部材を貫く孔と一直線状に配置されたプラットホーム部材の透明部分の使用は、カートリッジの底面側が表示されて購入に先立って顧客に見られることを可能にする。柄部裏側のプラットホーム部材の反射部の使用は、柄部の底面部が、反射によって、購入に先立って顧客に見られることを可能にする。反射部は、付加的に、柄部とトレイとの視覚的な一体感を提供する。スナップ結合構造−−プラットホーム部材の端部でベース部材面の上に重なる凹部及び対のタブと、柱の前面の小突部及び張出後方部と−−及びプラットホーム部材の中央部の下方の支持面が、組立ての容易性を提供している。
本発明の他の利点及び特徴が、その好適な実施の形態についての以下の記述と請求の範囲とから明らかである。
図１は、湿式ひげ剃りカミソリを保持するトレイの斜視図である。
図２は、図１のトレイのプラットホーム部材及びベース部材を示す、分解斜視図である。
図３は、図１のトレイのベース部材の平面図である。
図４は、図３のベース部材の、図３における４−４線での断面図である。
図５は、図３のベース部材の前方正面図である。
図６は、図２のベース部材の突出柱構造と、図２のプラットホーム部材のその周囲部とを示す拡大部分平面図である。
図７は、図６の突出柱構造と図２のプラットホーム部材の周囲部とのスナップ結合の係合を提供する構造を示す、図６の７−７線による部分縦断面図である。
図８は、ベース部材の突出柱構造内に支持された柄部を示す、拡大前方部分正面図である。
図１乃至図５に、内部に湿式ひげ剃りカミソリ１２を保持するトレイ１０が示されている。カミソリ１２は、延長柄部１４と、その端部に交換可能カートリッジ１６と、を有している。トレイ１０は、不透明なベース部材１８と、カミソリ１２の裏側でベース部材１８に固定された反射／透明プラットホーム部材２０（図２参照）とを有している。プラットホーム部材２０は、図１ではベース部材１８に取付けられて示されており、図２ではベース部材１８から離れて示されている。プラットホーム部材２０は、スナップ結合の係合によって、ベース部材１８に固定されている。
ベース部材１８は、成型中間衝突ポリスチレン（ＭＩＰＳ）または、高度衝突ポリスチレン（ＨＩＰＳ）で作られている。プラットホーム部材２０は、金属化され得る光学的に明瞭なプラスチック（例えば、ポリカーボネート）で作られている。プラットホーム部材２０は、所望の形状に熱成型されるか、または、射出成形され、金属化によって柄部１４の下方の反射部２２において反射性にされる。カートリッジ１６の下方のトレイ１０の透明部２４は、少なくともトレイ１０の底部から透明であって、ベース部材１８の孔３８（図２及び図３参照）を通してトレイ１０の背面側からカートリッジ１６の底面側を見ることを可能にしている。
カミソリ１２は、突出構造２８（図５参照）内の対向する弾性指部２６によって、プラットホーム部材２０の上方でベース部材１８に保持されている。指部２６は、柄部１４のカートリッジ側端部の近傍で柄部１４と係合している。柄部１４の底部は、ベース部材１８の一端部のフード部３０内の開口３１（図３乃至図５参照）内に保持されている。プラットホーム部材２０の透明部２４は、皿形で、延長排水開口３２（図１及び図２参照）を有しており、使用後にカートリッジ１６からしたたり落ちる水の排水を可能にしている。
図２及び図３に示すように、プラットホーム部材２０は、反射部２２の下方の表面３４によって支持されており、また、透明部２４の端縁部下方のベース部材１８の側部及び端部に沿って、リップ部３６（図２乃至図４参照）によって孔３８周りで支持されている。プラットホーム部材２０は、その底部側端部に、位置決めタブ４０（金属化されていない）と選択的な保持タブ４２とを有している。プラットホーム部材２０は、また、それを通って突出柱構造２８及び弾性指部２６が突出する全体に円形状の開口４４を有している。図６及び図７に示すように、開口４４の周囲のプラットホーム部材２０の中央部は、突出柱構造２８の前面の２つの小突部６１と、後方の突出構造２８の張出部分６２とによって、突出柱構造２８にスナップ結合の係合によって固定されている。
図３に示すように、表面３４は２つの選択的な切断領域４６を有している。その領域４６は、フード３０内の同様に選択的な隣り合う上向きの開口４８（図４参照）と一直線状になっており、もし選択的な保持タブ４２が用いられる場合には、プラットホーム部材２０のそれぞれの保持タブ４２（図２参照）を受容するようになっている。面３４はまた、プラットホーム部材２０のタブ４０（図２参照）が着座する開口３１に通ずるわずかな凹状領域５０を有している。
図４に示すように、ベース部材１８は、複数のカートリッジ１６を含むディスペンサ５３（図４に破線で示す）を受容するために、面３４の下方に領域５２を有している。ディスペンサ５３は、ベース部材の後方壁５６上の突起部５４と、下方に延びる壁６０上の突起部５８とによって、領域５２に保持されている。プラットホーム部材２０の前方端部分２４（図２参照）は、下方に向けられた面６４の下方に保持される。
購買時のパッケージ製品の準備において、プラットホーム部材２０は、それぞれ開口３１、領域４６及び開口４８にタブ４０，４２を挿入し、突出柱構造２８を開口４４を貫いて結合し、プラットホーム部材２０の前方端を面６４（図４参照）の下方に押入れてプラットホーム部材２０の前方部を所定位置にスナップ結合してそれをベース部材１８に固定することによって、ベース部材１８に固定される。カミソリ１２は、その後、柄部１４の底部を開口３１に挿入し、柄部１４の他端を下方に移動し、弾性指部２６を開き離し、それらが柄部１４の上方部分を超えて戻りスナップ結合することによって、トレイ１０上に載置される。突出柱構造２８の前方の上方に向けられた面７０は、その上に静止する柄部１４の下方部分の形状に適合する、曲面状の全体にだ円形の形状（図８参照）を有しており、柄部１４を支持して、それを適切な位置に保持することを助けるようになっている。
ディスペンサ５３（交換カートリッジを含む）は、その後トレイ１０の底部に挿入され、突部５４及び５８によって係合される。トレイ１０、カミソリ１２及びディスペンサ５３の組合わせは、これにより、トレイ１０の上方面及びその上のカミソリ１２と、孔３８を通してのプラットホーム部材２０の透明部分２４の下方面との両方を顧客が見ることを可能にする態様で、購買時のパッケージ（例えばブリスターパック）に固定される。顧客は、従って、カートリッジ１６の、下方に向けられた刃、ガード部及びキャップの詳細を透明部を通して見ることができる。柄部１４の底部は、また、反射部２２からの反射によって見ることができる。あるいは、（カートリッジ１６の下方の）プラットホーム部材２０の前方部分は、選択的に、その全体の表面にわたって反射性であり得る（すなわち、上方からは反射性で底部からは透明であり得る）。他の選択として、（カートリッジ１６の下方の）プラットホーム部材２０の前方部分は、端縁部で反射性であり、中央部で透明であり得る。プラットホーム部材２０は、２次元（すなわち、柄部１４と一直線の縦軸に沿う方向と、垂直な軸に沿う方向とについて）の凹面状であり、それによって、より広い視野角が得られ、柄部１４及び少なくともカートリッジ１６近くのプラットホーム部材２０の一部が反射性である場合カートリッジ１６の反射の範囲が増大している。柄部１４は、その全長に沿ってある外形を有しており、プラットホーム部材２０は、柄部１４のトレイ１０との視覚的一体性を提供するため、適合する外形を有している。
購入後、ひげを剃る人は、使用の間にカミソリ１２をトレイ１０上に保管することができ、指部２６から柄部１４を取外しそれを前方に移動してフード３０の開口３１から柄部１４の後方端を取外すことによって、片手でカミソリ１２を取外すことができる。排水孔３２は、カートリッジ１６からしたたり落ちる水の排水を可能にする。
本発明の他の実施の形態は、添付の請求の範囲の範囲内である。例えば、プラットホーム部材２０は、他の技術によってベース部材１８に固定され得る。
【図１】
0004083236.tif 000002
【図２】
0004083236.tif 000003
【図３】
0004083236.tif 000004
【図４】
0004083236.tif 000005
【図５】
0004083236.tif 000006
【図６】
0004083236.tif 000007
【図７】
0004083236.tif 000008
【図８】
0004083236.tif 000009